(57)【要約】【課題】口頭で説明するよりも相手が理解し易い形態でコミュニケーションを図ることが可能な技術を提供する。【解決手段】第１の表示制御部２０１は、第１の情報端末の表示を制御する。第１の情報端末は第２の情報端末とともに移動体内に存在し、第１の情報端末または第２の情報端末は移動体の運転者用端末である。第２の表示制御部２０２は、第１の情報端末に表示されている画像である操作側端末画像中の部分を指定する部分指定操作が第１の情報端末によって検出された場合、部分指定操作が行われた部分に関する通知情報が第２の情報端末に表示されるように第２の情報端末の表示を制御する。【選択図】図８
2015087887.tif 000002
【特許請求の範囲】
【請求項１】
第１の情報端末の表示を制御する第１の表示制御部を備え、
前記第１の情報端末は第２の情報端末とともに移動体内に存在し、前記第１の情報端末または前記第２の情報端末は前記移動体の運転者用端末であり、
前記第１の情報端末に表示されている画像である操作側端末画像中の部分を指定する部分指定操作が前記第１の情報端末によって検出された場合、前記部分指定操作が行われた部分に関する通知情報が前記第２の情報端末に表示されるように前記第２の情報端末の表示を制御する第２の表示制御部をさらに備える、情報処理装置。
【請求項２】
前記操作側端末画像は前記移動体に搭載されたカメラによって撮像された画像を含む請求項１に記載の情報処理装置。
【請求項３】
前記第２の表示制御部は、前記部分指定操作として行われるジェスチャ操作の種類に応じて前記通知情報を構成する、請求項１または２に記載の情報処理装置。
【請求項４】
前記部分指定操作が前記操作側端末画像の部分に対するタッチ操作である場合、前記第２の表示制御部は、位置を表すデザインを有した位置オブジェクトを前記操作側端末画像の前記部分に追加した第１の構成によって、前記通知情報を構成する、請求項３に記載の情報処理装置。
【請求項５】
前記部分指定操作が方向性を有した軌跡を前記操作側端末画像の部分に描く方向性ジェスチャ操作である場合、前記第２の表示制御部は、前記方向性ジェスチャ操作の方向を表すデザインを有した方向オブジェクトを前記操作側端末画像の部分に追加した第２の構成によって、前記通知情報を構成する、請求項３または４に記載の情報処理装置。
【請求項６】
前記部分指定操作が前記操作側端末画像の部分を囲むように軌跡を描く囲みジェスチャ操作である場合、前記第２の表示制御部は、範囲を表すデザインを有した範囲オブジェクトを前記操作側端末画像の部分に追加した第３の構成によって、前記通知情報を構成する、請求項３〜５のうちのいずれか１項に記載の情報処理装置。
【請求項７】
前記第２の表示制御部は、前記部分指定操作が行われた部分に表示されている内容に応じて前記通知情報を構成する、請求項１〜６のうちのいずれか１項に記載の情報処理装置。
【請求項８】
前記部分指定操作が行われた部分が前記移動体の移動速度の表示である場合、前記第２の表示制御部は、前記移動速度に関して注意を喚起する内容を有する第４の構成によって、前記通知情報を構成する、請求項７に記載の情報処理装置。
【請求項９】
前記操作側端末画像は前記移動体に搭載されたカメラによって撮像された画像を含み、
前記部分指定操作が行われた部分が前記移動体が位置する車線の外側である場合、前記第２の表示制御部は、移動に関して注意を喚起する移動注意喚起オブジェクトを前記操作側端末画像の前記部分指定操作が行われた部分に追加した第５の構成によって、前記通知情報を構成する、請求項７または８に記載の情報処理装置。
【請求項１０】
前記操作側端末画像は前記移動体に搭載されたカメラによって撮像された画像を含み、
前記部分指定操作が行われた部分が施設である場合、前記第２の表示制御部は、前記施設の位置を地図画像上に指し示す第６の構成によって、前記通知情報を構成する、請求項７〜９のうちのいずれか１項に記載の情報処理装置。
【請求項１１】
前記第６の構成は前記施設が何であるかを尋ねる文章から成るテキストオブジェクトを含む、請求項１０に記載の情報処理装置。
【請求項１２】
前記第２の表示制御部は、前記移動体が位置する状況に応じて前記通知情報を構成する、請求項１〜１１のうちのいずれか１項に記載の情報処理装置。
【請求項１３】
前記操作側端末画像中における前記部分指定操作が行われた部分の位置が前記操作側端末画像の変化に伴って変化する場合、前記第２の表示制御部は、前記通知情報において前記部分指定操作が行われた部分に関連付けられているオブジェクトの表示位置を、前記部分の位置変化に追従させる、請求項１〜１２のうちのいずれか１項に記載の情報処理装置。
【請求項１４】
前記第１の表示制御部は、前記通知情報において前記部分指定操作が行われた部分に関連付けられているオブジェクトを、前記操作側端末画像中に追加する、請求項１〜１３のうちのいずれか１項に記載の情報処理装置。
【請求項１５】
予め割り当てられた通知情報終了操作が前記第１の情報端末によって検出された場合、前記第２の表示制御部は前記第２の情報端末に前記通知情報の表示を終了させる、請求項１〜１４のうちのいずれか１項に記載の情報処理装置。
【請求項１６】
前記第２の表示制御部は前記通知情報を生成して前記第２の情報端末に送信する、請求項１〜１５のうちのいずれか１項に記載の情報処理装置。
【請求項１７】
前記第２の表示制御部は前記通知情報の生成に必要な情報を前記第２の情報端末に送信し、前記第２の情報端末が前記通知情報を生成する、請求項１〜１５のうちのいずれか１項に記載の情報処理装置。
【請求項１８】
前記第１の情報端末は前記運転者用端末ではなく、前記第２の情報端末が前記運転者用端末である、請求項１〜１７のうちのいずれか１項に記載の情報処理装置。
【請求項１９】
前記第２の情報端末の表示部は、前記移動体の運転席に設けられているインストルメントパネルである、請求項１８に記載の情報処理装置。
【請求項２０】
前記第１の情報端末と前記第２の情報端末とは、表示画面を共有し、前記表示画面に、スプリットビューを構成する各画像を表示する、請求項１〜１９のうちのいずれか１項に記載の情報処理装置。
【請求項２１】
請求項１〜２０のうちのいずれか１項に記載の情報処理装置を備え、前記第１の情報端末として機能する情報端末。
【請求項２２】
請求項２１に記載の情報端末を前記第１の情報端末として備えるとともに、前記第２の情報端末を備える、情報通信システム。
【請求項２３】
請求項１〜２０のうちのいずれか１項に記載の情報処理装置と、
前記第１の情報端末と、
前記第２の情報端末と
を備える情報通信システム。
【請求項２４】
（ａ）第１の情報端末の表示を制御するステップを備え、
前記第１の情報端末は第２の情報端末とともに移動体内に存在し、前記第１の情報端末または前記第２の情報端末は前記移動体の運転者用端末であり、
（ｂ）前記第１の情報端末に表示されている画像である操作側端末画像中の部分を指定する部分指定操作が前記第１の情報端末によって検出された場合、前記部分指定操作が行われた部分に関する通知情報が前記第２の情報端末に表示されるように前記第２の情報端末の表示を制御するステップをさらに備える、情報提供方法。
【発明の詳細な説明】
【技術分野】
【０００１】
本発明は、情報処理装置、情報端末、情報通信システムおよび情報提供方法に関する。
【背景技術】
【０００２】
近年の自動車では、複数の表示装置が搭載される場合がある。例えば、運転席正面、運転席と助手席との間および助手席正面に、表示装置が配置される。また、後席用の表示装置が前席のヘッドレストに配置される場合がある。
【０００３】
なお、特許文献１には、同じ仮想空間映像を別々の表示装置で共有する技術が開示されている。具体的には、ヘッドマウントディスプレイ（ＨＭＤ）を装着した者の位置および姿勢に対応する視点で仮想空間映像（仮想の自動車が例示される）を描画し、この仮想空間映像をＨＭＤと、ＨＭＤ非装着者用の表示装置とに表示する。ＨＭＤ非装着者からＨＭＤ装着者への指示が入力された場合（例えば、ＨＭＤ非装着者がタッチパネルで仮想の自動車の或る部位をタッチした場合）、その指示を、ＨＭＤに表示されている仮想空間映像上に表示する。
【先行技術文献】
【特許文献】
【０００４】
【特許文献１】特開２００７−４２０７３号公報
【発明の概要】
【発明が解決しようとする課題】
【０００５】
ところで、自動車等の移動体内では、人々の間のコミュニケーションを取りにくい場合がある。例えば、ＡＶコンテンツを楽しんでいる人は、話しかけられても、気が付かないかもしれない。また、例えば、運転者に話しかけること、および、運転者の視線を大きくそらせることは、控えた方がよい。
【０００６】
また、例えば、大型車、マイクロバス、列車、飛行機、船舶、等の移動体においては、離れた人どうしが会話するのは困難である。また、お互いが近くに居ても、他の人の声等が邪魔になる場合もある。
【０００７】
なお、コミュニケーションの妨げとなる要因は上記の例に限られるものではない。また、人々のコミュニケーションがなされる環境は移動体内に限られるものではない。
【０００８】
本発明は、人々のコミュニケーションに関して有用な技術、例えば口頭で説明するよりも相手が理解し易い形態でコミュニケーションを図ることが可能な技術を提供することを目的とする。
【課題を解決するための手段】
【０００９】
本発明の一形態に関する情報処理装置は、第１の表示制御部と、第２の表示制御部とを含む。第１の表示制御部は、第１の情報端末の表示を制御する。第１の情報端末は第２の情報端末とともに移動体内に存在し、第１の情報端末または第２の情報端末は移動体の運転者用端末である。第２の表示制御部は、第１の情報端末に表示されている画像である操作側端末画像中の部分を指定する部分指定操作が第１の情報端末によって検出された場合、部分指定操作が行われた部分に関する通知情報が第２の情報端末に表示されるように第２の情報端末の表示を制御する。
【発明の効果】
【００１０】
上記一形態によれば、第１の情報端末のユーザから、第２の情報端末のユーザに、視覚的情報を送ることができる。視覚的情報によれば、口頭で説明するよりも、受信側ユーザが理解し易い場合がある。そのような場合に、円滑なコミュニケーションを実現可能である。
【００１１】
本発明の目的、特徴および利点は、以下の詳細な説明と添付図面とによって、より明白となる。
【図面の簡単な説明】
【００１２】
【図１】実施の形態１について、情報通信システムの第１の構成例を説明するブロック図である。
【図２】実施の形態１について、情報通信システムの第２の構成例を説明するブロック図である。
【図３】実施の形態１について、情報端末の第１の構成例を説明するブロック図である。
【図４】実施の形態１について、情報端末間の情報伝達の第１例を説明する図である。
【図５】実施の形態１について、情報端末間の情報伝達の第１例を説明する図である。
【図６】実施の形態１について、情報端末間の情報伝達の第２例を説明する図である。
【図７】実施の形態１について、情報端末間の情報伝達の第３例を説明する図である。
【図８】実施の形態１について、情報処理部の構成例を説明するブロック図である。
【図９】実施の形態１について、第２の表示制御部によるオブジェクトの追従制御を説明する図である。
【図１０】実施の形態１について、情報処理部の動作例を説明するフローチャートである。
【図１１】実施の形態１について、情報処理部の動作例を説明するフローチャートである。
【図１２】実施の形態２について、オブジェクトの例を説明する図である。
【図１３】実施の形態３について、部分指定操作が行われた部分の表示内容に応じて通知情報を構成する第１例を説明する図である。
【図１４】実施の形態３について、部分指定操作が行われた部分の表示内容に応じて通知情報を構成する第２例を説明する図である。
【図１５】実施の形態３について、部分指定操作が行われた部分の表示内容に応じて通知情報を構成する第３例を説明する図である。
【図１６】実施の形態４について、情報端末の第２の構成例を説明するブロック図である。
【図１７】実施の形態５について、情報通信システムの第３の構成例を説明するブロック図である。
【発明を実施するための形態】
【００１３】
＜実施の形態１＞
＜情報通信システム＞
図１に、実施の形態１について、情報通信システム１０の第１の構成例を説明するブロック図を示す。図１に示すように、情報通信システム１０は複数の情報端末装置１１を含んでいる。但し、情報端末装置１１の数は図１の例に限定されるものではない。なお、情報端末装置１１を情報端末１１、端末１１、等と呼ぶ場合もある。
【００１４】
情報端末１１は視覚的情報および聴覚的情報をユーザに提供する。また、情報端末１１はユーザによる情報入力を受け付ける。また、各情報端末１１は通信機能を有しており、他の情報端末１１と通信を行う。
【００１５】
通信機能は無線通信、有線通信またはそれらの組み合わせによって実現可能である。以下では、全ての情報端末１１が送信機能と受信機能の両方を有する例を挙げる。但し、情報通信システム１０は送信専用の情報端末１１を含んでもよいし、あるいは、受信専用の情報端末１１を含んでもよい。
【００１６】
情報端末１１は、上記のように送信機能と受信機能の両方を有するので、送信側の情報端末１１として動作する場合もあるし、受信側の情報端末１１として動作する場合もある。また、情報通信システム１０では一対一通信と一対多通信の両方を採用している。但し、いずれか一方の通信形態のみを採用することも可能である。
【００１７】
なお、送信側として動作する場合の情報端末１１を送信側情報端末１１、送信側端末１１、第１の情報端末１１、第１の端末１１、等と呼ぶ場合もある。同様に、受信側として動作する場合の情報端末１１を受信側情報端末１１、受信側端末１１、送信先端末１１、第２の情報端末１１、第２の端末１１、等と呼ぶ場合もある。
【００１８】
情報通信システム１０は移動体内に配置されており、このため情報端末１１は移動体内に存在する。以下では移動体として自動車を例示する。但し、移動体は自動車以外の車両（例えば鉄道車両）であってもよいし、車両以外の移動体（例えば飛行機、船）であってもよい。
【００１９】
また、情報端末１１のうちの少なくとも１つは運転者用に設けられているものとする。なお、運転者用の情報端末１１を例えば運転者用端末１１と呼ぶ場合もある。
【００２０】
各情報端末１１は備え付け型と携帯型とのいずれでもよい。備え付け型の情報端末１１は例えば各座席用に設けられる。後述のように、例えば、運転席用の情報端末１１は統合インストルメントパネルとして具現化される。ここで、運転席用に設けられた情報端末１１の主たるユーザは運転者であり、このため運転席用の情報端末１１は運転者用の情報端末１１である。
【００２１】
携帯型の情報端末１１（以下、携帯端末１１と呼ぶ場合もある）は例えば、携帯電話、スマートフォン、タブレット端末等のＰＤＡ（Personal Digital Assistant）である。また、携帯端末１１は例えば、ＰＮＤ（Portable Navigation Device）等の特定用途向けの装置であってもよい。
【００２２】
ここで、図１に示すように、情報通信システム１０は、自動車に搭載された画像供給源１５と有線または無線によって接続されている。図１の例では、画像供給源１５は各情報端末１１に画像を供給する。但し、一部の情報端末１１にのみ画像が供給されるように画像供給源１５を設けてもよい。画像供給源１５が供給する画像は、静止画像である場合もあるし、動画像である場合もある。
【００２３】
画像供給源１５は例えば、テレビ受像部、ＡＶコンテンツ再生部、撮像部である。撮像部は、１つまたは複数のカメラを含み、車外の１つまたは複数の方向の撮像画像を情報通信システム１０に供給する。以下では、画像供給源１５として主に撮像部を例示し、このため画像供給源１５を撮像部１５、カメラ１５、等と呼ぶ場合もある。
【００２４】
図２に、情報通信システム１０の第２の構成例を説明するブロック図を示す。図２の例では、情報通信システム１０を全体的に制御するシステム全体制御装置１２が追加されている。システム全体制御装置１２は、通信機能を有しており、各情報端末１１と通信を行う。通信機能は無線通信、有線通信またはそれらの組み合わせによって実現可能である。
【００２５】
システム全体制御装置１２は、例えば、情報端末１１間の通信を中継する情報通信中継装置として機能する。つまり、各情報端末１１はシステム全体制御装置１２を経由して通信を行う。かかる中継機能は一般的なルーティング機能によって実現可能である。
【００２６】
システム全体制御装置１２も自動車に配置されている。情報端末１１と通信可能であれば、システム全体制御装置１２の配置位置は特に限定されない。
【００２７】
図２の例では、撮像部１５は、システム全体制御装置１２に画像を供給する。但し、図１と同様に各情報端末１１に画像が供給されるように、あるいは、各情報端末１１およびシステム全体制御装置１２に画像が供給されるように、画像供給源１５を設けてもよい。
【００２８】
ここで、各情報端末１１およびシステム全体制御装置１２には固有の識別情報（以下、ＩＤと呼ぶ場合もある）が予め与えられている。当該ＩＤは、例えば情報の発信元および送信先を特定するために利用される。以下では、説明を簡単にするために、当該ＩＤを通信だけでなく他の処理においても共用するものとする。
【００２９】
＜情報端末＞
図３に、情報端末１１の構成例を説明するブロック図を示す。図３の例によれば、情報端末１１は情報処理部２１と記憶部２２と情報出力部２３とを含んでいる。ここでは、情報出力部２３は表示部２４と音声出力部２５とを含んでいる。情報端末１１はさらに、情報入力部２６と外部通信部２７と外部入力部２８とを含んでいる。
【００３０】
情報処理部２１は、情報端末１１における各種の処理を行う装置である。このため、情報処理部２１を情報処理装置２１と呼んでもよい。上記各種処理には、例えば、記憶部２２、情報出力部２３、情報入力部２６、外部通信部２７および外部入力部２８の制御が含まれる。また、上記各種処理には、例えば、情報出力部２３に供給するデータの生成と、情報入力部２６を介して取得されるユーザ操作の解析とが含まれる。
【００３１】
ここでは、情報処理部２１が、中央演算処理部（例えば１つまたは複数のマイクロプロセッサ回路で構成される）と、主記憶部（例えばＲＯＭ、ＲＡＭ、フラッシュメモリ等の１つまたは複数の記憶装置で構成される）とによって、構成される場合を例示する。この例によれば、主記憶部に格納された各種プログラムを中央演算処理部が実行することによって、各種処理が実行される。各種処理は並列的に実行させることも可能である。各種処理によって、それに対応した各種機能が実現される。
【００３２】
中央演算処理部が実行するプログラムは、主記憶部に予め格納されていてもよいし、あるいは、実行時に補助記憶部（ここでは記憶部２２）から読み出されて主記憶部に格納されてもよい。主記憶部は、プログラムだけでなく各種データの格納にも利用される。また、主記憶部は、中央演算処理部がプログラムを実行する際の作業領域を提供する。また、主記憶部は、表示部２４に表示する画像を書き込むため画像保持部を提供する。画像保持部はビデオメモリまたはグラフィックメモリと呼ばれる場合もある。
【００３３】
ここでは情報処理部２１の各種機能がソフトウェアによって実現されるが、それらの各種機能の全部または一部がハードウェア（例えば、特定の演算を行うように構成された演算回路等）によって実現されてもよい。
【００３４】
記憶部２２は、各種情報を格納する。ここでは、記憶部２２は、情報処理部２１が利用する補助記憶部として設けられている。記憶部２２は、例えば、ハードディスク装置、書き換え可能かつ不揮発性の半導体メモリ、光ディスク装置、等の記憶装置の１つ以上を利用して構成可能である。
【００３５】
記憶部２２に格納される情報として、画像データ（アイコン等のオブジェクト、地図データ、等）、音声データ（操作音、通知音、効果音、ガイダンス音声、等）、ＡＶデータ、等が挙げられる。
【００３６】
表示部２４は、視覚的情報をユーザに提供する。ここでは、表示部２４が液晶表示装置によって構成される場合を例示し、以下では表示部２４を液晶表示装置２４または表示装置２４と呼ぶ場合もある。但し、表示部２４を他の種類の表示装置によって構成することも可能である。表示部２４は例えば、情報処理部２１から供給される画像データに基づいて、表示動作を行う。
【００３７】
音声出力部２５は、聴覚的情報をユーザに提供する。音声出力部２５は、スピーカ、オーディオアンプ、等を含む音声出力装置によって実現可能である。例えば、情報処理部２１から供給された音声データは、オーディオアンプによってアナログ電気信号に変換され、スピーカから音声として出力される。
【００３８】
情報入力部２６（以下、入力部２６とも呼ぶ場合もある）は、情報端末１１に対して行われる入力操作を受け付け、その入力操作を、情報処理部２１が処理可能な信号によって、情報処理部２１に引き渡す。
【００３９】
ここでは、入力部２６が接触型のタッチパネルによって構成される場合を例示する。このため、以下では、入力部２６をタッチパネル２６と呼ぶ場合もある。但し、非接触型のタッチパネルを採用することも可能である。なお、タッチパネルはタッチパッドと呼ばれる場合もある。また、接触型は２次元（２Ｄ）型と呼ばれ、非接触型は３次元（３Ｄ）型と呼ばれる場合もある。
【００４０】
また、タッチパネル２６が液晶表示装置２４の画面上に重ねられた構造を例示する。これによれば、ユーザは、画面に表示されたアイコン等に触れる感覚で、入力操作を行うことができる。但し、タッチパネル２６が液晶表示装置２４の画面上に重ねられていない構造を採用することも可能である。この場合、タッチパネル２６は液晶表示装置２４の画面上とは異なる場所で使用される。
【００４１】
また、タッチパネル２６に対して入力を行う指示物として、ユーザの指（より具体的には指先）を例示する。但し、例えばスタイラスペン（タッチペンとも呼ばれる）等の道具を指示物として利用してもよい。
【００４２】
なお、タッチパネルに代えてまたは加えて、マウス等のポインティングデバイスを入力部２６として利用してもよい。また、各種のセンサ、カメラ等によってユーザの動作を認識する、いわゆるモーションキャプチャ装置を利用してもよい。
【００４３】
外部通信部２７は、情報処理部２１と端末外部に存在する外部装置との間で通信信号を仲介する回路である。外部装置は、図１の例では他の情報端末１１が対応し、図２の例ではシステム全体制御装置１２が対応する。
【００４４】
具体的に外部通信部２７は、送信するデータを情報処理部２１から取得し、その送信データを、予め採用された通信規格の送信信号に変換し、その送信信号を情報端末１１の外部へ出力する。逆に、外部通信部２７は、情報端末１１の外部から到来した信号を受信し、その受信信号に含まれるデータを、予め採用された通信規格に従って抽出し、得られた受信データを情報処理部２１へ引き渡す。
【００４５】
外部入力部２８は、画像供給源１５から供給される画像データを取り込む部分である。具体的には、画像供給源１５が有線接続される場合、外部入力部２８は例えば接続端子および配線を含み、さらに信号整形回路を含む場合もある。また、画像供給源１５が無線接続される場合、外部入力部２８は例えば無線通信回路を含む。画像供給源１５が無線接続される場合、外部入力部２８と外部通信部２７とが統合されてもよい。
【００４６】
なお、上記のように、図２の例の場合、画像供給源１５はシステム全体制御装置１２と接続される。その場合、情報端末１１は外部入力部２８を有していなくてもよい。また、システム全体制御装置１２に外部入力部２８と同様の要素が設けられる。
【００４７】
情報端末１１の構成は図３の例に限定されるものではない。例えば、聴覚的情報の出力を利用しない場合、音声出力部２５を省略してもよい。
【００４８】
また、情報端末１１の現在位置の情報を取得する位置情報取得部が設けられてもよい。位置情報取得部は、例えば、ＧＰＳ（Global Positioning System）受信アンテナと、ＧＰＳ受信アンテナによって受信したＧＰＳ衛星からの情報に基づいて情報端末１１の現在位置を検出するＧＰＳ受信装置と、によって構成可能である。但し、位置情報取得部の構成はこの例に限定されるものではない。
【００４９】
＜情報伝達の概要＞
より具体的な構成例を説明する前に、情報端末１１間の情報伝達の概要を説明する。以下では説明を分かりやすくするために、運転席用の情報端末１１と、助手席用の情報端末１１との間での情報伝達を例示する。なお、運転席用の情報端末１１を運転席用端末１１と呼び、助手席用の情報端末１１を助手席用端末１１と呼ぶ場合もある。運転席用端末１１は運転者用に設けられているので、運転席用端末１１は運転者用端末１１である。
【００５０】
なお、運転席用端末１１の表示画面は、ダッシュボードの運転席正面部分に配置されており、例えば統合インストルメントパネルとして具現化される。なお、統合インストルメントパネルとは、例えば、メータ（速度計、回転計、等）、警告灯、表示灯、ナビゲーション画像、各種装置（ＡＶ（Audio-Visual）機器等）の動作状況、車載カメラによる撮像画像を、統合的に表示可能な表示盤である。統合インストルメントパネルは、メータクラスタ、等と呼ばれる場合もある。また、助手席用端末１１の表示画面は、ダッシュボードの助手席正面部分に配置されている。
【００５１】
図４および図５に情報端末１１間での情報伝達の一例を説明する図を示す。図４および図５の例では、自動車が駐車スペースに後進中であり、運転席用端末１１に車両後方の撮像画像１０１が表示され、助手席用端末１１にも同じ撮像画像１０１が表示されている。運転者は、現実空間にも目を配りながら、運転者用端末１１（すなわち自端末１１）の撮像画像１０１で後進状態を確認している。
【００５２】
後進中に助手席の同乗者が情報端末１１に表示されていない範囲での現実空間において、例えば幼児を見つけたとする。
【００５３】
そこで助手席の同乗者は、助手席用端末１１（すなわち自端末１１）に表示されている撮像画像１０１中において例えば幼児に最も近いと思われる部分をタッチする（図４参照）。なお、タッチする部分は例えば、幼児が撮像画像１０１中に映り込むと思われる部分であってもよい。
【００５４】
助手席用端末１１がタッチされると、助手席用端末１１にはそのタッチされた部分に、予め設定されたオブジェクト１０２が表示される（図４参照）。それとともに、運転席用端末１１に表示されている撮像画像１０１中にも同じ位置に同じオブジェクト１０２が出現する（図４参照）。その際、運転席用端末１１は音声（アラーム音、「注意」という発声、等）を出力してもよい。
【００５５】
これによれば、撮像画像１０１には表示されていないが現実空間に存在する情報を、画像という視覚的情報によって、運転者に通知することができる。すなわち、同乗者が得た情報が運転者にも共有される。撮像画像１０１中の上記部分を口頭で説明するよりも、画像で説明した方が運転者には理解し易いと考えられ、円滑なコミュニケーションを実現可能である。
【００５６】
ここで、助手席用端末１１から運転席用端末１１に伝達される情報は、助手席の同乗者が指定した部分に関する情報１００である。かかる情報１００を以下、通知情報１００と呼ぶ場合がある。なお、通知情報１００は上記の例（幼児を発見したことを通知する例）に限定されるものではない。図４の例において、通知情報１００は、撮像画像１０１とオブジェクト１０２とで構成されている。
【００５７】
助手席用端末１１に表示されているオブジェクト１０２を再度タッチすると（図５参照）、オブジェクト１０２は助手席用端末１１および運転席用端末１１の表示画面から消える（図５参照）。ここでのタッチ操作は通知情報１００の表示を終了させる操作であり、通知情報終了操作と呼ぶことにする。但し、通知情報終了操作はタッチ操作以外のジェスチャ操作が割り当てられてもよい。
【００５８】
図４および図５の例によれば、助手席用端末１１によって、通知情報１００の送信および消去が操作される。また、その操作は、助手席用端末１１に表示されている画像（上記では撮像画像１０１）に対して行われる。かかる点に鑑み、通知情報１００の送信および消去を操作する側の情報端末１１を操作側端末１１と呼び、操作側端末１１に表示されている画像を操作側端末画像と呼んでもよい。
【００５９】
オブジェクト１０２のデザインは、図４の例に限定されるものではない。また、複数種類のデザインの中から、ユーザが予め設定できるようにしてもよい。
【００６０】
また、オブジェクト１０２のデザインと、撮像画像１０１中の部分を指定する操作（以下、部分指定操作と呼ぶ場合もある）とを、関連付けてもよい。
【００６１】
例えば、図６に示すように、部分指定操作が直線状に軌跡を描くジェスチャ操作（例えばドラッグまたはフリック）である場合には、ジェスチャ方向と同じ方向を向く矢印形状のオブジェクト１０２を表示するようにしてもよい。矢印形状のように方向性を表すデザインによれば、例えば幼児がどの方向から接近してきているのかという情報も併せて、通知できる。
【００６２】
また、例えば、図７に示すように、撮像画像１０１中の部分を囲むジェスチャ操作をした場合には、範囲を表すデザインを有したオブジェクト１０２を表示するようにしてもよい。図７に例示する中空円形状のように範囲を表すデザインは、通知情報１００に関する部分が比較的大きい場合に好適である。
【００６３】
ここで、図６に例示した矢印形状のデザインはジェスチャ操作の方向を表しており、そのような方向性を表すデザインを有したオブジェクト１０２を、方向オブジェクト１０２と呼んでもよい。
【００６４】
これに対し、図７に例示したデザインは方向性を有していないが、中空形状であることによって範囲を表していると言える。このため、そのようなデザインを有したオブジェクト１０２を、範囲オブジェクト１０２と呼んでもよい。
【００６５】
また、図４に例示したデザインは、方向性および範囲を意図しているとは感じられない。しかし、そのようなデザインは、オブジェクト１０２が表示されている位置自体に注目が向くので、位置を表していると理解できる。そこで、位置を表すデザインを有したオブジェクト１０２を、位置オブジェクト１０２と呼んでもよい。
【００６６】
このように複数種類のオブジェクト１０２を利用することによって、多様な通知情報１００を構成できる。また、位置オブジェクト１０２と方向オブジェクト１０２と範囲オブジェクト１０２とを使い分けることによって、通知情報１００の送信側ユーザの意図（位置と方向と範囲のどれに注目して欲しいのかという意図）を、通知情報１００に盛り込むことができる。
【００６７】
なお、通知情報１００の送信先、すなわち受信側端末１１は予め設定されているものとするが、その設定はユーザが変更可能であってもよい。また、通知情報１００の送信時に、送信先を設定する操作を行えるようにしてもよい。
【００６８】
＜通知情報伝達機能＞
図８に、通知情報１００の伝達に関して、情報処理部２１の構成例を説明するブロック図を示す。図８の例によれば、情報処理部２１は通知情報伝達機能部２００を含み、通知情報伝達機能部２００は第１の表示制御部２０１と、第２の表示制御部２０２とで構成されている。
【００６９】
＜第１の表示制御部＞
第１の表示制御部２０１は、通知情報１００の送信側となる情報端末１１（ここでは第１の表示制御部２０１が搭載されている自端末１１）の表示を制御する。
【００７０】
例えば、自端末１１に対して部分指定操作が行われた場合、第１の表示制御部２０１は、自端末１１で表示中の撮像画像１０１上にオブジェクト１０２を追加する（図４参照）。その際、第１の表示制御部２０１は、オブジェクト１０２の表示位置を、部分指定操作が行われた部分に設定する。
【００７１】
また、例えば、通知情報終了操作が行われた場合、第１の表示制御部２０１は、表示中のオブジェクト１０２を消去する（図５参照）。
【００７２】
＜第２の表示制御部＞
第２の表示制御部２０２は、通知情報１００の受信側となる情報端末１１（ここでは他端末１１）に対して、表示の制御を指示する。
【００７３】
具体的には、自端末１１に対して部分指定操作が行われた場合、第２の表示制御部２０２は、部分指定操作が行われた部分に関する通知情報１００が他端末１１に表示されるように、他端末１１の表示を制御する。
【００７４】
その際、図４〜図７の例によれば、第２の表示制御部２０２は、部分指定操作として行われるジェスチャ操作の種類に応じて、通知情報１００を構成する。
【００７５】
すなわち、部分指定操作が、タッチ操作と、方向性を有した軌跡を描く方向性ジェスチャ操作と、囲むように軌跡を描く囲みジェスチャ操作とのうちのいずれであるかに応じて、オブジェクト１０２の種類（換言すればデザイン）を変える。その結果、オブジェクト１０２の種類の違いにより、通知情報１００の構成が変わる。
【００７６】
第２の表示制御部２０２は、上記のように構成した通知情報１００が受信側端末１１に表示されるように、受信側端末１１に指示するのであるが、その制御指示は様々な形態が考えられる。
【００７７】
例えば、第２の表示制御部２０２自身が通知情報１００を生成して送信するという指示形態がある。具体的には、撮像画像１０１の各フレーム画像中にオブジェクト１０２を追加し、そのようにして生成されたフレーム画像を受信側端末１１に送信する。なお、全てのフレーム画像を処理対象にしてもよいし、あるいは、フレーム画像を間引くことによって処理対象を減らしてもよい。
【００７８】
また、例えば、第２の表示制御部２０２は、通知情報１００の生成に必要な情報だけを受信側端末１１に送信し、受信側端末１１に通知情報１００を生成させてもよい。
【００７９】
具体的には、図４〜図７の例では受信側端末１１（上記では運転席用端末１１）は、送信側端末１１（上記では助手席用端末１１）と同じ撮像画像１０１を表示しているので、オブジェクト１０２に関する情報だけを受信側端末１１に送信してもよい。オブジェクト１０２に関する情報は、例えば、オブジェクト１０２の画像データおよびオブジェクト１０２の表示位置である。なお、受信側端末１１がオブジェクト１０２の画像データを有している場合、画像データに代えて、オブジェクト１０２の種類を特定する情報を送信すればよい。
【００８０】
ここで、受信側端末１１が、通知情報１００を構成する撮像画像１０１を表示していない場合を想定すると、撮像部１５から撮像画像１０１を取得させるための入力ソース切り替え指示も送信してもよい。
【００８１】
なお、受信側端末１１に入力ソース切り替え指示を送信することを、例えば部分指定操作を２指で行うことによって送信側ユーザが指示できるようにしてもよい。
【００８２】
また、第２の表示制御部２０２は、撮像画像１０１中における部分指定操作が行われた部分（換言すれば、当該部分に表示されていた物体）の位置が撮像画像１０１の変化に伴って変化する場合、通知情報１００において当該部分に関連付けられているオブジェクト１０２の表示位置を、当該部分の位置変化に追従させる（図９参照）。当該部分の位置変化の検出、すなわち当該部分に存在する物体の抽出およびその物体の動き検出は、既存の画像処理技術を利用すれば実行可能である。
【００８３】
また、自端末１１に対して通知情報終了操作が行われた場合、第２の表示制御部２０２は、受信側端末１１に通知情報１００の表示を終了させる。
【００８４】
具体的には、第２の表示制御部２０２は、通知情報１００の送信を終了する。あるいは、第２の表示制御部２０２は、通知情報１００の生成に必要な情報の送信を終了する。その際、第２の表示制御部２０２は、通知情報１００の表示を終了することを知らせる通知を、受信側端末１１に送信してもよい。
【００８５】
＜動作例＞
図１０および図１１に、通知情報伝達機能部２００の動作例を説明するフローチャートを示す。なお、図１０と図１１は結合子Ｃ１，Ｃ２で繋がっている。また、図１０および図１１には、通知情報伝達機能部２００が動作する送信側端末１１の動作フローＳＴ１００と併せて、受信側端末１１の動作フローＳＴ２００も図示している。
【００８６】
送信側端末１１の動作フローＳＴ１００によれば、ステップＳＴ１０１において部分指定操作が行われるのを待つ。
【００８７】
部分指定操作が情報処理装置２１の入力解析部によって検出された場合、ステップＳＴ１０２において、送信側端末１１の第１の表示制御部２０１は自端末１１にオブジェクト１０２を表示する。その際、部分指定操作の種類に応じて、オブジェクト１０２の種類を選択する。
【００８８】
そして、ステップＳＴ１０３において、送信側端末１１の第２の表示制御部２０２が、受信側端末１１に対して、通知情報１００の表示を指示する。なお、ステップＳＴ１０３は、ステップＳＴ１０２よりも先に実行されてもよいし、ステップＳＴ１０２と並行して実行されてもよい。
【００８９】
通知情報１００の表示を指示された受信側端末１１では、ステップＳＴ２０１において、通知情報１００を表示する。
【００９０】
なお、オブジェクト１０２の表示位置が変化する場合（図９参照）、例えば、ステップＳＴ１０２，ＳＴ１０３，ＳＴ２０１が繰り返される。
【００９１】
送信側端末１１の第２の表示制御部２０２は、ステップＳＴ１０４において通知情報終了操作が行われるのを待つ。
【００９２】
通知情報終了操作が情報処理装置２１の入力解析部によって検出された場合、ステップＳＴ１０５において、送信側端末１１の第１の表示制御部２０１は自端末１１に表示されているオブジェクト１０２を消去する。
【００９３】
そして、ステップＳＴ１０６において、送信側端末１１の第２の表示制御部２０２は、受信側端末１１における通知情報１００の表示を終了させる。なお、ステップＳＴ１０６は、ステップＳＴ１０５よりも先に実行されてもよいし、ステップＳＴ１０５と並行して実行されてもよい。
【００９４】
ステップＳＴ１０６に呼応して、受信側端末１１では、ステップＳＴ２０２において通知情報１００の表示が終了する。
【００９５】
＜効果＞
実施の形態１によれば、送信側端末１１のユーザから、他端末１１のユーザに、画像という視覚的情報を送ることができる。視覚的情報によれば、口頭で説明するよりも、受信側ユーザが理解し易い場合がある。そのような場合に、円滑なコミュニケーションを実現可能である。
【００９６】
＜実施の形態２＞
同じ種類のオブジェクト１０２であっても、複数のデザインを準備しておき、適宜使い分けてもよい。その例を位置オブジェクト１０２について、図１２に示す。図１２の例によれば、そのデザインによって、見る者に与える注意喚起の印象、換言すれば注意喚起度合いを変えることが可能である。なお、方向オブジェクト１０２および範囲オブジェクト１０２についても、注意喚起度合いをデザインで変えることは可能である。
【００９７】
例えば、自動車が位置する状況に応じてオブジェクト１０２のデザインを変更することによって、通知情報１００の構成を変えてもよい。一例を挙げると、自動車が駐車場と一般道路と高速道路とのいずれに位置しているのかによって、オブジェクト１０２のデザインを変えるのである。
【００９８】
一般的に、一般道路での車速は、駐車場での車速よりも大きい。このため、運転者は、一般道路を走行中の方が、オブジェクト１０２の存在に気付きにくいかもしれない。このため、一般道路を走行中では注意喚起度合いのより大きいデザインが好ましい。また、高速道路では更に注意喚起度合いの大きいデザインが好ましい。
【００９９】
ここで、自車の速度に応じて、オブジェクト１０２のデザインを選択してもよい。しかし、特に高速道路では、運転者は自車だけでなく、他車にも注意を払う必要性が高くなると考えられる。そうすると、自車の速度に関係なく、オブジェクト１０２の存在に気付きにくいかもしれない。かかる点に鑑みると、自動車が位置する状況に応じてオブジェクト１０２のデザインを変更するという規則は、好ましいと考えられる。
【０１００】
なお、自車が駐車場と一般道路と高速道路とのいずれに位置しているのかの情報、すなわち自車が位置する状況の情報は、例えば、自車位置を地図データに照合すれば取得可能である。かかる照合は一般的なナビゲーション機能を利用すれば実行可能である。
【０１０１】
実施の形態２によれば、通知情報１００の構成を多様化することができる。
【０１０２】
＜実施の形態３＞
実施の形態３では、部分指定操作が行われた部分に表示されている内容に応じて通知情報を構成する例を、図１３〜図１５を参照して説明する。なお、図１３〜図１５の例では、送信側端末１１には、車両前方の撮像画像１０１上に速度計および回転速度計が重畳された画像が表示されている。但し、送信側端末１１の表示画像、すなわち操作側端末画像はこの例に限定されるものではない。
【０１０３】
図１３の例によれば、部分指定操作が車速表示部分に対して行われた場合、第２の表示制御部２０２は、車速に対して注意を喚起する内容で構成された通知情報１００Ｂが受信側端末１１に表示されるように、受信側端末１１に指示する。
【０１０４】
上記の図４〜図７の例とは異なり、図１３に例示の通知情報１００Ｂは、「スピード注意！」というテキストオブジェクトである速度注意喚起オブジェクト１０２Ｂのみで構成されている。なお、速度注意喚起オブジェクト１０２Ｂを、実施の形態１と同様に、図形で構成してもよい。
【０１０５】
図１３では撮像画像１０１上に表示された車速表示を例示した。これに対し、部分指定操作の対象となる速度表示は、他の種類の画像に重畳されていてもよいし、あるいは、他の画像に重畳されていなくてもよい（すなわち無背景）。また、図１３の例では車速が数字によって表示されているが、例えば指針式の速度表示であってもよい。
【０１０６】
図１４の例によれば、部分指定操作が撮像画像１０１中において自動車（すなわち自車）が位置している車線の外側に対して行われた場合、第２の表示制御部２０２は、移動注意喚起オブジェクト１０２Ｃを、撮像画像１０１中で部分指定操作が行われた部分に追加した構成を有する通知情報１００Ｃが受信側端末１１に表示されるように、受信側端末１１に指示する。
【０１０７】
ここで、移動注意喚起オブジェクト１０２Ｃは、移動に関して注意を喚起しうるデザインを有したオブジェクトであり、自動車の場合は走行注意喚起オブジェクト１０２と呼んでもよい。移動注意喚起オブジェクト１０２Ｃのデザインは図示の例に限定されるものではない。
【０１０８】
撮像画像１０１中で部分指定操作が行われた部分が、自車が位置している車線の外側であるか否かの判断は、既存技術、例えば画像処理技術を利用すれば実行可能である。例えば、撮像画像中から道路の白線を検出する画像処理技術は既知であり、白線で挟まれた部分を車線として推定可能である。また、例えば、カメラ１５による撮像方向と自動車の前方方向（進行方向）との関係は既知であるので、撮像画像１０１中で自動車の前方方向を推定可能である。このため、自車が位置している車線を撮像画像１０１上で推定可能であり、その結果、当該車線の外側の部分も推定可能である。
【０１０９】
また、例えば、撮像画像１０１中における様々な物（周辺風景、木、人、轍、車道と歩道との段差、除雪された雪でできた段差、等）の位置等から、撮像画像１０１中において自車が位置している車線、および、その外側部分を推定可能である。この例によれば、白線検出技術を利用しない場合であっても（例えば雪道において白線を検出困難な場合も含む）、撮像画像１０１中で部分指定操作が行われた部分が、自車が位置している車線の外側であるか否かを判断可能である。
【０１１０】
その際、例えば、ＧＰＳ測位情報から自車位置を特定し、自車が位置する道路の情報（車線数、一方向道路か双方向道路かの区別、歩道の有無、車線および歩道の幅員、等）を地図データベースから取得し、その取得した情報を、撮像画像１０１から得られる各種情報と組み合わせれば、推定精度を向上可能である。また、自車が位置している車線の外側の部分（すなわち、撮像画像１０１中で部分指定操作が行われた部分）が、例えば、隣の車線であるのか、歩道であるのか、路肩側の部分であるのか、等の詳細な推定も可能である。
【０１１１】
具体的には図１４の例によれば、撮像画像１０１からは２車線道路であることが推定可能であるが、地図データベースを利用することによって、その２車線道路は双方向道路であり各方向につき１車線であること、歩道は存在しないこと、等の情報を取得可能である。また、日本では自動車は左側通行であるので、図１４の例において部分指定操作が行われた部分は路肩側であることを推定可能である。
【０１１２】
なお、準天頂衛星を用いてより正確なＧＰＳ測位情報を取得すれば、１０ｃｍオーダで自車位置を求めることも可能であり、その自車位置を地図データベースに照合することによって、自車位置からどの範囲までが、自車の車線であるのかを推定することも可能である。
【０１１３】
図１５の例によれば、部分指定操作が撮像画像１０１に映っている施設に対して行われた場合、第２の表示制御部２０２は、当該施設の位置を地図画像上に指し示した構成を有する通知情報１００Ｄが受信側端末１１に表示されるように、受信側端末１１に指示する。
【０１１４】
図１５の例では、通知情報１００Ｄは、地図画像１０３Ｄと、部分指定操作が行われた部分である施設の位置を指し示すオブジェクトである指し示しオブジェクト１０２Ｄ１とを含んでいる。また、通知情報１００Ｄはさらに、当該施設が何であるかを尋ねる文章から成るテキストオブジェクト１０２Ｄ２を含んでいる。なお、テキストオブジェクト１０２Ｄ２の内容は質問文に限定されるものではない。
【０１１５】
既存技術を利用すれば、例えば、スマートフォンのカメラをビルにかざすとそのビルの名称が画面に表示される例で知られている拡張現実感（Augmented Reality）技術を利用すれば、撮像画像１０１に映っている施設を特定することは可能である。施設を特定できれば、その施設の位置情報を特定可能であり、その結果、地図画像上でその施設を指し示すことが可能である。
【０１１６】
実施の形態３によれば、様々な場面で通知情報を利用可能である。
【０１１７】
＜実施の形態４＞
実施の形態１〜３では、図３に示すように、情報端末１１に１つの情報出力部２３と１つの情報入力部２６とが設けられている例を説明した。これに対し、図１６の例では、２つの情報出力部２３ａ，２３ｂと、２つの情報入力部２６ａ，２６ｂとが設けられている。但し、３つ以上の情報出力部２３と、３つ以上の情報入力部２６とを設けることも可能である。
【０１１８】
図１６の例によれば、２つの表示部２４ａ，２４ｂが存在するので、２つの表示画面が存在することになる。２つの表示画面は物理的に別々の表示装置によって提供可能である。かかる構成は、デュアルディスプレイ、デュアルモニタ、マルチディスプレイ、マルチモニタ、等と呼ばれる場合がある。
【０１１９】
また、２つの表示画面を単一の表示装置によって提供することも可能である。この場合、２つの表示部２４ａ，２４ｂが単一の表示装置によって実現される。
【０１２０】
例えば、当該単一の表示装置の表示画面を左右に２分割することによって、左画面と右画面とを表示部２４ａ，２４ｂの表示画面として利用する。かかる構成は画面分割方式等と呼ばれる場合がある。
【０１２１】
また、例えば、上記単一の表示装置がいわゆるスプリットビューに準拠した構成を有していてもよい。すなわち、スプリットビューは表示画面を見る方向によって、見える画像が異なり、スプリットビュー用の表示画面は左方向から見える画像を提供する部分と、右方向から見える画像を提供する部分とを有する。このため、これら２つの部分によって、表示部２４ａ，２４ｂの表示画面が提供される。
【０１２２】
画面分割方式およびスプリットビュー方式の表示装置の表示画面は、例えば、ダッシュボード中央、すなわち運転席正面と助手席正面の間に配置される。この場合、運転席用（すなわち運転者用）画面と助手席用画面とが提供される。また、例えば携帯端末１１に画面分割方式またはスプリットビュー方式が採用されてもよい。
【０１２３】
同様に、２つの音声出力部２５ａ，２５ｂを、別々の音声出力装置で構成してもよいし、単一の音声出力装置で構成してもよい。
【０１２４】
また、２つの情報入力部２６ａ，２６ｂを、別々のタッチパネルで構成してもよいし、１つのタッチパネルで構成してもよい。
【０１２５】
ここで、情報端末１１が２つの情報出力部２３ａ，２３ｂを有する場合、一方の表示部２４ａまたは２４ｂに表示された通知情報を、他方の表示部２４ｂまたは２４ａに送信するといった使い方も想定される。この場合、情報出力部２３ａと情報入力部２６ａとを含む情報端末１１ａ（図１６参照）と、情報出力部２３ｂと情報入力部２６ｂとを含む情報端末１１ｂ（図１６参照）との間で、通知情報が送受信される、と理解できる。なお、図１６の例では、情報処理部２１と記憶部２２と外部通信部２７とは、２つの情報端末１１ａ，１１ｂによって共用されている。
【０１２６】
＜実施の形態５＞
実施の形態１〜４では通知情報伝達機能部２００（図８参照）が情報端末１１に設けられている例を説明した。これに対し、図１７に示すように、通知情報伝達機能部２００をシステム全体制御装置１２の情報処理部に設けてもよい。
【０１２７】
なお、実施の形態１〜４では通知情報伝達機能部２００が送信側端末１１に設けられていることに鑑み、実施の形態１〜４の説明において自端末１１を送信側端末１１と読み替え、他端末１１を受信側端末１１と読み替えれば、実施の形態５が十分に理解される。
【０１２８】
実施の形態５によっても、上記の各種効果が得られる。
【０１２９】
＜変形例＞
上記では、送信側端末１１に表示され部分指定操作が行われる画像、すなわち操作端末側画像が、撮像画像１０１である例を主に説明した。また、撮像画像１０１はライブ画像であることを想定した。但し、操作端末側画像はライブ画像でなくてもよいし、撮像画像でなくてもよい。
【０１３０】
ここで、ライブ画像は、同じフレーム画像について撮像タイミングから表示タイミングまでの時間長さ（すなわち遅延）が実質的に（換言すれば実用的に）無視できる程度で、表示される画像である。
【０１３１】
ライブ画像は、撮像画像１０１そのものに限定されるものではない。例えば、予め準備された地図データによって表示される地図画像上に、撮像画像中に映り込んだ自動車等を、地図画像上の対応する位置に合成した画像も、ライブ画像の一種である。すなわち、地図データによれば道路等の移動しない物を表示可能であるが、現実空間で移動している自動車等は地図データには記録されていない。これに対し、撮像画像１０１を利用した上記合成画像によれば、現実空間における現時刻の状況を表示可能である。このため、当該合成画像は、ライブ画像の一種と言える。
【０１３２】
本発明は、その発明の範囲内において、各実施の形態を自由に組み合わせたり、各実施の形態を適宜、変形、省略することが可能である。
【０１３３】
この発明は詳細に説明されたが、上記した説明は、すべての態様において、例示であって、この発明がそれに限定されるものではない。例示されていない無数の変形例が、この発明の範囲から外れることなく想定され得るものと解される。
【符号の説明】
【０１３４】
１０  情報通信システム、１１  情報端末、１２  システム全体制御装置（情報通信中継装置）、１５  画像供給源（撮像部）、２１  情報処理部（情報処理装置）、２８  外部入力部、１００，１００Ｂ〜１００Ｄ  通知情報、１０１  撮像画像、１０２，１０２Ｂ，１０２Ｃ，１０２Ｄ１，１０２Ｄ２  オブジェクト、２００  通知情報伝達機能部、２０１  第１の表示制御部、２０２  第２の表示制御部、ＳＴ１００，ＳＴ２００  動作フロー、ＳＴ１０１〜ＳＴ１０６，ＳＴ２０１〜ＳＴ２０２  処理ステップ。
【図１】
2015087887.tif 000003
【図２】
2015087887.tif 000004
【図３】
2015087887.tif 000005
【図４】
2015087887.tif 000006
【図５】
2015087887.tif 000007
【図６】
2015087887.tif 000008
【図７】
2015087887.tif 000009
【図８】
2015087887.tif 000010
【図９】
2015087887.tif 000011
【図１０】
2015087887.tif 000012
【図１１】
2015087887.tif 000013
【図１２】
2015087887.tif 000014
【図１６】
2015087887.tif 000015
【図１７】
2015087887.tif 000016
【図１３】
2015087887.tif 000017
【図１４】
2015087887.tif 000018
【図１５】
2015087887.tif 000019